(57)【要約】【課題】従来の車両広告媒体は磁石入りシート部材にて構成されていたので、車両に貼り付けた場合、車両自体の制御機器や、車両への搭乗者の時計・電子機器等に、該車両広告媒体の磁力が影響を与えて動作不良を誘引してしまう恐れがあった。【解決手段】タクシー車両１の外面に貼設される車両広告媒体１０であって、該車両広告媒体１０は、車両１外面に貼設される側の面に再剥離可能な粘着剤にて構成される粘着層１２を備えたシート状部材である。【選択図】　　　図１
2004138759.tif 000002
【特許請求の範囲】
【請求項１】
タクシー車両の外面に貼設される車両広告媒体であって、該車両広告媒体は、車両外面に貼設される側の面に再剥離可能な粘着剤を備えたシート状部材であることを特徴とする車両広告媒体。
【請求項２】
前記車両広告媒体は、車両の後部ドア又は後部フェンダーに貼設されることを特徴とする請求項１に記載の車両広告媒体。
【請求項３】
前記車両広告媒体における角部はＲ加工されていることを特徴とする請求項１又は請求項２に記載の車両広告媒体。
【請求項４】
前記車両広告媒体は、基材の一面側に基材側から順に広告表示層及び紫外線透過防止層を備え、他面側に粘着剤層を備えることを特徴とする請求項１乃至請求項３のいずれか一項に記載の車両広告媒体。
【請求項５】
前記車両広告媒体における再剥離可能な粘着剤は、ウレタン系粘着剤からなることを特徴とする請求項１乃至請求項４のいずれか一項に記載の車両広告媒体。
【請求項６】
一枚の前記車両広告媒体に、複数内容の広告が表示されることを特徴とする請求項１乃至請求項５のいずれか一項に記載の車両広告媒体。
【請求項７】
前記車両広告媒体は再剥離可能な粘着剤により磁性体シートに貼り付けられ、該磁性体シートを車両外面に貼着することで、車両広告媒体が車両外面に貼設されることを特徴とする請求項１乃至請求項６のいずれか一項に記載の車両広告媒体。
【発明の詳細な説明】
【０００１】
【発明の属する技術分野】
本発明は、車両に着脱可能に貼設されるシート状の車両広告媒体に関する。
【０００２】
【従来の技術】
従来から、移動する車両の外面に広告を表示して広告内容を多くの人の目に触れさせることで、固定された位置に表示される通常の広告に比べて、広告効果を高めることが行われている。
車両外面に広告表示を行う場合、塗装により広告内容を車両に直接書き込むことは、書き込み作業自体が煩雑であるのに加えて、広告内容の切換時等にその作業がさらに煩雑となることから、表面に広告内容が表示されたシート状部材を車両広告媒体として車両外面に貼り付ける場合がある。
この場合、車両に貼り付けられる車両広告媒体は、磁石入りシート部材に構成されており、磁性部材が吸着可能な鉄板にて形成されるドア等の部位に着脱可能に貼り付けられる。
このように、磁石入りシート部材にて構成される車両広告媒体は、例えば、以下に示す特許文献１に記載の如くのものがある。
【０００３】
【特許文献１】
実開昭５７−７９８８３号公報
【０００４】
【発明が解決しようとする課題】
しかし、前述の如く、磁石入りシート部材の表面に広告内容を印刷する等して形成した車両広告媒体を車両に貼り付けた場合、近年益々精密化してきている車両自体の制御機器や、車両への搭乗者の時計・電子機器等に、該車両広告媒体の磁力が影響を与えて動作不良を誘引してしまう恐れがある。
また、車両広告媒体を磁力により貼り付けるようにしていると、車両外面の内で鉄等の磁石に吸引可能な部材でできた部分にしか貼り付けることができないので、車両広告媒体の貼り付け位置が限定されることとなっていた。
さらに、広告内容が印刷される磁石入りシートは、粘着剤付きシート等に比べて高価であるので、広告効果を高めるために多数の車両に車両広告媒体を貼り付けた場合には、広告に要する費用が高騰してしまうという問題がある。
また、磁石入りシート部材の表面に印刷された広告内容は、屋外に晒されることとなるので、経時的に色あせたり剥がれ落ちたりして充分な広告効果が低下する場合もあった。
【０００５】
【課題を解決するための手段】
本発明の解決しようとする課題は以上の如くであり、次に該課題を解決するための手段を説明する。
即ち、請求項１においては、タクシー車両の外面に貼設される車両広告媒体であって、該車両広告媒体は、車両外面に貼設される側の面に再剥離可能な粘着剤を備えたシート状部材である。
【０００６】
また、請求項２においては、前記車両広告媒体は、車両の後部ドア又は後部フェンダーに貼設される。
【０００７】
また、請求項３においては、前記車両広告媒体における角部はＲ加工されている。
【０００８】
また、請求項４においては、前記車両広告媒体は、基材の一面側に基材側から順に広告表示層及び紫外線透過防止層を備え、他面側に粘着剤層を備える。
【０００９】
また、請求項５においては、前記車両広告媒体における再剥離可能な粘着剤は、ウレタン系粘着剤からなる。
【００１０】
また、請求項６においては、一枚の前記車両広告媒体に、複数内容の広告が表示される。
【００１１】
また、請求項７においては、前記車両広告媒体は再剥離可能な粘着剤により磁性体シートに貼り付けられ、該磁石板を車両外面に貼着することで、車両広告媒体が車両外面に貼設される。
【００１２】
【発明の実施の形態】
次に、本発明の実施の形態を説明する。
図１は本発明の車両広告媒体が貼り付けられたタクシー車両を示す側面図、図２は車両に貼り付けられた車両広告媒体を示す平面断面図、図３は車両広告媒体が貼り付けられた後部ドアを示す側面図、図４は種々の空きスペースに車両広告媒体を貼り付けた車両の後部を示す側面図、図５は複数の広告内容を表示した車両広告媒体が貼り付けられる後部ドアを示す側面図、図６は磁性体シートを介して車両に貼り付けられる車両広告媒体を示す平面断面図である。
【００１３】
本発明の車両広告媒体について説明する。図１に示す車両１はタクシー業務に用いられる車両であり、例えば左右の前部ドア２には、タクシー会社名等の営業者名が表示されている。
シート状部材である車両広告媒体１０は、左右の後部ドア３に着脱自在に貼り付けられている。
【００１４】
図２に示すように、シート状に形成される車両広告媒体１０は、ベースとなる基材１１の一面側に広告内容が表示される表示層１３を形成して、該表示層１３の上層に紫外線透過防止層１４を形成するとともに、基材１１の他面側に粘着層１２を形成して構成されている。
【００１５】
例えば、基材１１はポリオレフィン系の合成樹脂にて構成されているため、塩化ビニル等の有機塩素系の材料を使用した場合のように、焼却時に塩素を含む有毒ガスが発生することがない。
基材１１の一面側に構成される表示層１３の広告内容は印刷等によって形成されており、多色刷りのカラー印刷が可能である。
【００１６】
紫外線透過防止層１４は、紫外線吸収部材又は紫外線反射部材を含んだシート状部材であり、外部からの紫外線が内層の表示層１３へ届くことを防いでいる。これにより、車両１の外面に貼設される車両広告媒体１０の表示層１３が日光等の紫外線により劣化して、色あせたり剥がれ落ちたりすることを防止できる。
【００１７】
基材１１の他面側に構成される粘着層１２は、再剥離性（一旦貼り付けた後に剥がす場合の剥離性）に優れた微粘着タイプのウレタン系粘着剤にて構成されている。従って、車両１へ車両広告媒体１０を一旦貼り付けた後に剥がす場合でも、車両１の表面に粘着剤が残ったり、逆に車両１表面の塗膜が剥がれたり、車両１表面が汚れたりすることがなく、車両広告媒体１０の剥離作業や貼り換え作業も力や技能を要することなく容易となる。
【００１８】
また、基材１１は柔軟なポリオレフィン系の合成樹脂にて構成されるとともに、粘着層１２はウレタン系粘着剤にて構成されているため、車両広告媒体１０は柔軟性に富んでおり、ソフトでしなやかな風合いを有している。
従って、車両広告媒体１０が貼設される車体１の外面が、曲面や屈曲面であったとしても、例えば硬くてあまり屈曲性に優れていないアクリル系の合成樹脂を粘着層に用いた場合に比べて、その屈曲に追従して車両広告媒体１０を密着して貼り付けることができ、使用中に不意に車両広告媒体１０が剥がれることはない。
【００１９】
また、シート状部材である車両広告媒体１０の角部１０ａ・１０ａ・・・は、Ｒ加工が施されて丸められている。
一般的に、粘着剤により貼り付けられるシート状部材は、特に走行する車両に貼り付けられて風圧を受けるものでは、角部がかくばっていると経時的にその角部から自然に剥がれていきやすいが、本案の車両広告媒体１０の角部１０ａ・１０ａ・・・ようにＲ加工を施して丸めておくことで、経時的に剥がれていくことを防ぐことができる。従って、走行する車両１に貼り付けた車両広告媒体１０が不意に剥がれ落ちてしまい広告効果を低下させるようなことを防止できる。
【００２０】
図３に示すように、例えば、車両広告媒体１０は後部ドア３のサイドモール３ａより上部の範囲に貼設されている。車両広告媒体１０の横寸法Ｘ及び縦寸法Ｙは、貼設される車両広告媒体１０が、後部ドア３のサイドモール３ａより上部の範囲内に収まる大きさで、且つなるべく大きな寸法となるように設定されている。
これにより、車両広告媒体１０を、後部ドア３からはみ出さず且つサイドモール３ａにかかることなく、綺麗に貼り付けることができるとともに、車両広告媒体１０の面積を大きく確保して広告効果を高めることができる。
【００２１】
車両広告媒体１０は、後部ドア３のサイドモール３ａより上部の範囲だけでなく、図４に示す如く、後部ドア３のサイドモール３ａより下部の範囲や、後部フェンダー５や後部バンパー６、さらには前部フェンダー４等といったように、タクシー会社名等の他の表示がなく外部から見えやすい空きスペースを有効に用いて貼り付けることができる。
また、タクシー会社名等の表示が前部ドア２以外の別の箇所に表示されている等で前部ドア２に空きスペースがあるときには、もちろんのこと前部ドア２に車両広告媒体１０を貼設することもできる。
【００２２】
以上の如く構成される車両広告媒体１０は、車両１への貼付手段として磁石を用いずに再剥離性に優れた粘着剤を用いているので、車両自体の制御機器や、車両への搭乗者の時計・電子機器等に磁力の影響が及んで動作不良を起こしてしまう心配がない。
【００２３】
また、車両広告媒体１０を、ドア部やフェンダー部等といった鉄等の磁石に吸引可能な部材で構成された箇所だけでなく、合成樹脂製のバンパー等といった磁石に吸引されない部材で構成される箇所にも貼り付けることができ、広告を表示する位置を任意に選択することが可能となって、広告主の要望にも答え易くなる。
【００２４】
さらに、広告内容が表示される車両広告媒体１０は、合成樹脂にて形成される基材１１を粘着剤にて形成される粘着層１２にて車両１に貼り付けるようにしているので、高価な磁石入りシートに広告内容を印刷する等して表示した場合に比べて、車両広告媒体１０を安価に構成することができ、広告に要する費用を全体的に低減することができる。
【００２５】
車両広告媒体１０に表示する広告内容としては、全国的若しくは広範囲で販売又は提供されている商品やサービスの広告に限らず、例えば、ある地域のみで販売・提供している商品・サービスや、ある地域で所定期間開催されるイベントや、新店舗オープンの案内や、特定商品の販売促進キャンペーンの案内や、新築マンションの入居者・購入者の募集等といったものがある。
【００２６】
特に、車両広告媒体１０は、多数の車両が所定の地域内を縦横無尽に走行するタクシーに貼り付けられるものであるため、広範囲に販売等される商品等の広告に加えて、その地域特有の事象に関する広告についても非常に高い広告効果を得ることができる。
広告が表示される車両については、予め定められた路線しか走行しない電車や路線バスの車両に広告を表示した場合に比べて、走行する路線が定められておらず任意の経路を走行するタクシーの車両に車両広告媒体１０を貼り付けて広告を行う方が、多数の人の目に触れる機会が多くなって高い広告効果を得ることができる。
【００２７】
また、車両広告媒体１０は、再剥離性に優れた粘着剤にて形成される粘着層１２により車両１へ貼り付けられており、車両１に剥がし跡を残さず容易に剥離や貼り換えをすることができる。
従って、短期間のみ行う広告に対しても、迅速、容易且つ安価に対応することができ、広告内容の切り換えも短期間の内に完了することが可能である。
このように、車両広告媒体１０は、地域や期間を限定して行われる広告にも好適である。
【００２８】
また、車両広告媒体１０に表示する広告内容としては、全面に一つの内容の広告を表示するだけでなく、複数の内容の広告を一枚の車両広告媒体１０に表示してもよい。
つまり、図５に示すように、ある地域で行われるイベントの広告を行う場合、車両広告媒体１０には、そのイベント自体の広告（上段に表示）と、イベントを後援する会社の広告（下段に表示）とを表示するといったように、複数の広告を表示することもできる。
【００２９】
このように複数の広告を同じ車両広告媒体１０内に表示するという形態、即ちコラボレート型の広告を行うことで、例えば、後援会社が広く世間に知られた会社である場合等には、地域イベント自体の広告及び後援会社の広告をそれぞれ単独で表示する場合に比べて、地域イベントに対する興味や期待感や安心感等が増加したり、後援会社の認知度や良好なイメージがさらに高まったりするといったように、それぞれ単独で広告した場合に比べて広告効果を高めることができる。
【００３０】
また、車両１の外面に磁石板を貼り付けても、例えば車内等への磁力の侵入を防ぐシールド処理を施す等、車両１の制御機器や車両１への搭乗者の時計・電子機器等に磁力が影響を与えないような処理を施せば、磁石により車両広告媒体１０を貼り付けることも可能である。
この場合、図６に示すように、車両広告媒体１０と同じサイズにカッティングされた磁性体シート１６に、該車両広告媒体１０を粘着層１２により貼り付けた上で、該磁性体シート１６を車両１の外面に貼着する。
【００３１】
このような構成で車両広告媒体１０を車両１に貼り付けることで、例えば表示される広告内容を変更する際には、磁性体シート１６に貼り付けられる車両広告媒体１０のみを取り換えて、高価な磁性体シート１６はそのまま使い回すことができるので、車両広告媒体１０を磁性体シート１６により貼り付けながら、コストの低減を図ることが可能となる。
【００３２】
【発明の効果】
まず、請求項１に記載のごとく、タクシー車両の外面に貼設される車両広告媒体であって、該車両広告媒体は、車両外面に貼設される側の面に再剥離可能な粘着剤を備えたシート状部材であるので、
車両自体の制御機器や、車両への搭乗者の時計・電子機器等に磁力の影響が及んで動作不良を起こしてしまう心配がない。
また、車両広告媒体を、ドア部やフェンダー部等といった鉄等の磁石に吸引可能な部材で構成された箇所だけでなく、合成樹脂製のバンパー等の鉄等の磁石に吸引されない部材で構成される箇所にも貼り付けることができ、広告を表示する位置を任意に選択することが可能となって、広告主の要望にも答え易くなる。
さらに、広告内容が表示される車両広告媒体は、粘着剤にて車体に貼り付けるようにしているので、高価な磁石入りシートに広告内容を印刷する等して表示した場合に比べて、車両広告媒体を安価に構成することができ、広告に要する費用を全体的に低減することができる。
また、短期間のみ行う広告に対しても、迅速、容易且つ安価に対応することができ、広告内容の切り換えも短期間の内に完了することが可能である。
【００３３】
請求項２に記載のごとく、前記車両広告媒体は、車両の後部ドア又は後部フェンダーに貼設されるので、
外部から見えやすい空きスペースを有効に用いて、車両広告媒体を貼り付けることができる。
【００３４】
請求項３に記載のごとく、前記車両広告媒体における角部はＲ加工されているので、
車両に貼り付けられた車両広告媒体が、経時的に剥がれていくことを防ぐことができる。従って、走行する車体に貼り付けた車両広告媒体が不意に剥がれ落ちてしまって、広告効果を低下させるようなことを防止できる。
【００３５】
請求項４に記載のごとく、前記車両広告媒体は、基材の一面側に基材側から順に広告表示層及び紫外線透過防止層を備え、他面側に粘着剤層を備えるので、
広告内容が表示される内層の表示層へ、外部からの紫外線が届くことを防いでいる。これにより、車両の外面に貼設される車両広告媒体の表示層が日光等の紫外線により劣化して、色あせたり剥がれ落ちたりすることを防止できる。
【００３６】
請求項５に記載のごとく、前記車両広告媒体における再剥離可能な粘着剤は、ウレタン系粘着剤からなるので、
車両へ車両広告媒体を一旦貼り付けた後に剥がす場合でも、車両の表面に粘着剤が残ったり、逆に車両１表面の塗膜が剥がれたり、車両表面が汚れたりすることがなく、車両広告媒体の剥離作業や貼り換え作業も力や技能を要することなく容易となる。
【００３７】
請求項６に記載のごとく、一枚の前記車両広告媒体に、複数内容の広告が表示されるので、
それぞれ単独で広告した場合に比べて広告効果を高めることができる。
【００３８】
請求項７に記載のごとく、前記車両広告媒体は再剥離可能な粘着剤により磁性体シートに貼り付けられ、該磁性体シートを車両外面に貼着することで、車両広告媒体が車両外面に貼設されるので、
例えば表示される広告内容を変更する際には、磁性体シートに貼り付けられる車両広告媒体のみを取り換えて、高価な磁性体シートはそのまま使い回すことができるので、車両広告媒体を磁性体シートにより貼り付けながら、コストの低減を図ることが可能となる。
【図面の簡単な説明】
【図１】本発明の車両広告媒体が貼り付けられたタクシー車両を示す側面図である。
【図２】車両に貼り付けられた車両広告媒体を示す平面断面図である。
【図３】車両広告媒体が貼り付けられた後部ドアを示す側面図である。
【図４】種々の空きスペースに車両広告媒体を貼り付けた車両の後部を示す側面図である。
【図５】複数の広告内容を表示した車両広告媒体が貼り付けられる後部ドアを示す側面図である。
【図６】磁性体シートを介して車両に貼り付けられる車両広告媒体を示す平面断面図である。
【符号の説明】
１　車両
３　後部ドア
５　後部フェンダー
１０　車両広告媒体
１０ａ　角部
１２　粘着層
１４　紫外線透過防止層
【図１】
2004138759.tif 000003
【図２】
2004138759.tif 000004
【図３】
2004138759.tif 000005
【図４】
2004138759.tif 000006
【図５】
2004138759.tif 000007
【図６】
2004138759.tif 000008